(57)【要約】【課題】アンテナ素子を収容するアンテナカバーを設け、検査前後の被検体またはアンテナカバーへのアンテナ素子の取り付けや被検体またはアンテナカバーからのアンテナ素子の取り外しの作業を容易に行うこと。【解決手段】カバー部材Ｂ１１，Ｂ１２に形成される収容部Ｂ１４に、挿入口Ｂ１６から受信用アンテナＡ１を挿入し、挿入口Ｂ１６を貼付して受信用アンテナＡ１を固定することによって、受信用アンテナＡ１を収容し、かつ接着された縁部の一辺から延出するつまみ部Ｂ１７と、カバー部材Ｂ１１，Ｂ１２の対向する面を貫通する孔Ｂ２０，Ｂ２１と、挿入口Ｂ１６から孔Ｂ２０，Ｂ２１に向うミシン目Ｂ２２，Ｂ２３とを設けることによって、被検体１の外表面またはアンテナカバーＢ１への受信用アンテナＡ１の取り付けおよび外表面またはアンテナカバーＢ１からの受信用アンテナＡ１の取り外しを行う。【選択図】        図１
2006000296.tif 000002
【特許請求の範囲】
【請求項１】
アンテナ素子の少なくとも一部を収容可能な収容部を内部に形成するカバー部材と、
前記アンテナ素子を前記収容部内部に挿入可能な前記カバー部材に形成される挿入口と、
前記カバー部材の所定面に設けられ、前記カバー部材を被検体上に貼付する粘着性を有する粘着部と、
前記粘着部と同一の所定面に形成される非粘着性を有する非粘着部と、
を備えることを特徴とするアンテナカバー。
【請求項２】
前記アンテナカバーは、前記カバー部材の縁部に延出する延出部を、
さらに備え、前記非粘着部は、前記延出部の前記粘着部と同一の所定面側に設けられることを特徴とする請求項１に記載のアンテナカバー。
【請求項３】
前記カバー部材は、紙、不織布またはセロハンを貼り合せて形成されることを特徴とする請求項１または２に記載のアンテナカバー。
【発明の詳細な説明】
【技術分野】
【０００１】
本発明は、アンテナ素子を内部に収容するアンテナカバーに関し、特に被検体上に貼付可能なアンテナカバーに関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次Ｂｌｕｅｔｏｏｔｈなどの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段に表示させて診断を行うことができる。
【０００４】
一般に、受信装置は、カプセル型内視鏡から送信される映像信号を受信するための複数のアンテナ素子を被検体外部に分散配置し、映像信号の受信誤りが少ない１つのアンテナ素子を選択切り替えして受信するようにしている。なお、特許文献１には、接着剤を有するアンテナ素子を被検体上の所定部位に接着することで被検体外部に配置し、これら複数のアンテナ素子の受信切り替えを行い、各アンテナ素子が受信する電界強度に基づいて、映像信号の発信源である被検体内のカプセル型内視鏡の位置を探知する受信機が記載されている。
【０００５】
【特許文献１】特開２００３−１９１１１号公報
【発明の開示】
【発明が解決しようとする課題】
【０００６】
しかしながら、複数のアンテナ素子を直接被検体上の各部位に接着するような場合では、複数のアンテナ素子の検査前の取り付けや検査後の取り外しの作業が煩雑になり、手間と時間がかかり、これに伴って検査にかかる時間が長くなるという問題があった。
【０００７】
本発明は、上記問題に鑑みてなされたものであって、アンテナ素子を収容するアンテナカバーを設け、検査前後の被検体またはアンテナカバーへのアンテナ素子の取り付けや被検体またはアンテナカバーからのアンテナ素子の取り外しの作業を容易に行うことができるアンテナカバーおよびアンテナ装置を提供することを目的とする。
【課題を解決するための手段】
【０００８】
上述した課題を解決し、目的を達成するために、本発明にかかるアンテナカバーは、アンテナ素子の少なくとも一部を収容可能な収容部を内部に形成するカバー部材と、前記アンテナ素子を前記収容部内部に挿入可能な前記カバー部材に形成される挿入口と、前記カバー部材の所定面に設けられ、前記カバー部材を被検体上に貼付する粘着性を有する粘着部と、前記粘着部と同一の所定面に形成される非粘着性を有する非粘着部と、を備えることを特徴とする。
【０００９】
また、請求項２の発明にかかるアンテナカバーは、上記発明において、前記カバー部材の縁部に延出する延出部を、さらに備え、前記非粘着部は、前記延出部の前記粘着部と同一の所定面側に設けられることを特徴とする。
【００１０】
また、請求項３の発明にかかるアンテナカバーは、上記発明において、前記カバー部材は、紙、不織布またはセロハンを貼り合せて形成されることを特徴とする。
【発明の効果】
【００１１】
本発明にかかるアンテナカバーは、カバー部材に形成される収容部に、挿入口からアンテナ素子を挿入することによって、アンテナ素子の少なくとも一部を収容するアンテナカバーを設け、このカバー部材の所定面に設けられた粘着部によって、アンテナカバーを被検体上の所定位置に貼り付けることで、検査前後の被検体またはアンテナカバーへのアンテナ素子の取り付けや被検体またはアンテナカバーからのアンテナ素子の取り外しの作業を容易に行うことができるという効果を奏する。
【発明を実施するための最良の形態】
【００１２】
以下に、本発明にかかるアンテナカバーおよびアンテナ装置の実施の形態を図１〜図１１の図面に基づいて詳細に説明する。なお、本発明は、これらの実施の形態に限定されるものではなく、本発明の要旨を逸脱しない範囲で種々の変更実施の形態が可能である。また、以下の実施の形態では、カプセル型内視鏡（被検体内導入装置）で取得された映像信号を受信するアンテナ装置を一例として説明する。
【００１３】
（実施の形態１）
図１は、実施の形態１にかかる受信装置を備えた無線型被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡３とを備える。また、無線型被検体内情報取得システムは、受信装置２が受信した映像信号に基づいて体腔内画像を表示する表示装置４と、受信装置２と表示装置４との間でデータの受け渡しを行うための携帯型記録媒体５とを備える。受信装置２は、アンテナ群２ａと、受信される無線信号の処理などを行う外部装置２ｂとを備え、いずれも被検体１に携帯される。
【００１４】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１５】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、カプセル型内視鏡３が被検体１の体腔内を移動している間は、外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００１６】
次に、図２のブロック図を用いて受信装置の構成について説明する。受信装置２は、カプセル型内視鏡３から無線送信された体腔内の画像データを受信する機能を有する。図２に示すように、受信用アンテナＡ１〜Ａｎと、これら受信用アンテナＡ１〜Ａｎを収容して、直接被検体（人体）１の外表面に貼付されるアンテナカバーＢ１〜Ｂｎ（図１参照）とを備えたアンテナ装置としてのアンテナ群２ａと、アンテナ群２ａを介して受信された無線信号の処理などを行う外部装置２ｂとを備える。なお、各受信用アンテナＡ１〜Ａｎは、被検体１が着用するジャケットなどの衣類の表面に貼付しても良い。
【００１７】
外部装置２ｂの外表面には、図示しない電力供給用の電池を収納する電池パックが外付けされており、この電池パックが外部装置２ｂに装着されると、電池と外部装置２ｂの後述する内部機器とが電気的に接続されて、これら内部機器への電力供給が可能な状態となる。また、この外表面の上面には、受信用アンテナＡ１〜Ａｎを接続するための接続部ＣＯＮが設けられている。
【００１８】
アンテナ素子としての受信用アンテナＡ１〜Ａｎは、上記接続部ＣＯＮに接続するコネクタＣＯＮ１〜ＣＯＮｎを有する。また、これら受信用アンテナＡ１〜Ａｎは、同一構成からなり、ここでは代表として、図３に受信用アンテナＡ１の構成を示す。図３において、受信用アンテナＡ１は、たとえばループアンテナからなり、端部を有するループ状に形成されたループ部Ａ１１と、一端にこのループ部Ａ１１の端部が取り付けら、他端にコネクタＣＯＮ１が取り付けられるケーブル部Ａ１２と、このループ部Ａ１１の少なくとも一部、たとえばこの実施の形態では、ループ部Ａ１１の全部が埋め込まれる樹脂プレートＡ１３とから構成される。
【００１９】
樹脂プレートＡ１３は、たとえば四角を面取りした透明の略矩形の第１の透明部材としての樹脂部材からなり、埋め込まれたループ部Ａ１１の変形や断線などを防止可能に保持している。また、この樹脂プレートＡ１３には、たとえばプレートの中央付近に、被検体１の外表面に配置する際の図示しない配置位置などを示す認識情報が付記されている。また、この受信用アンテナＡ１〜Ａｎは、検査時に、アンテナカバーＢ１〜Ｂｎに収容されて、被検体１の外表面のそれぞれの所定位置に貼付されて使用される。このように、アンテナ素子に認識情報を付記するのは、ケーブル部Ａ１２の絡まりや断線を防ぐためにも、ケーブル部Ａ１２の長さを貼付する位置に対応させた適切な長さに設定するためと、どの検査対象部位にどのアンテナ素子が対応しているか予め設定するためである。なお、本発明では、これら受信用アンテナＡ１〜ＡｎとアンテナカバーＢ１〜Ｂｎとは、それぞれアンテナ装置を構成し、これらアンテナ装置が集まったものアンテナ群２ａとしている。また、樹脂プレートは、上記認識情報が付記された位置の部位のみ透明で、他の部位は半透明でも良い。なお、樹脂プレートＡ１３に付記される認識情報は、プレートの中央付近に限らず、プレートの任意の位置に付記することが可能である。
【００２０】
外部装置２ｂは、カプセル型内視鏡３から送信された無線信号の処理を行う機能を有する。すなわち、外部装置２ｂは、図２に示すように、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段には、さらにＡ／Ｄ変換部１６が接続される。
【００２１】
制御部Ｃは、制御手段としての選択制御部Ｃ１を有し、信号処理回路１２、Ａ／Ｄ変換部１６、携帯型記録媒体５に対応する記憶部１３、表示部１４および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６および選択制御部Ｃ１の処理タイミングを指示する。また、電力供給部１７は、上記電池パック内の電池からなり、上述した各内部機器への電力供給を行う。
【００２２】
外部装置２ｂの切替スイッチＳＷは、切替制御部ＳＣからの切替指示に基づき、受信用アンテナＡ１〜Ａｎからの無線信号を受信回路１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２３】
この接続部ＣＯＮは、各コネクタＣＯＮ１〜ＣＯＮｎの未接続状態を検知する、図示しないアンテナ未接続検知機能を有している。このアンテナ未接続検知機能は、コネクタＣＯＮ１〜ＣＯＮｎ毎に設けられており、選択制御部Ｃ１は、これらアンテナ未接続検知機能から入力する未接続検知信号の有無を検知することによって、コネクタＣＯＮ１〜ＣＯＮｎの接続状態、すなわち受信用アンテナＡ１〜Ａｎが外部装置２ｂに接続されているか否かを判断することができる。
【００２４】
受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、最も大きい受信電界強度を受信した受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。ここで、選択制御部Ｃ１が切替対象の受信用アンテナとして設定するのは、信号Ｓ６をもとに現に接続された受信用アンテナＡ１〜Ａｎのみを対象とする。また、制御部Ｃは、強度受信期間の受信電界強度および映像受信期間の受信電界強度を、そのとき選択された受信用アンテナと対応付けて映像データとともに記憶部１３に記憶する。この記憶された各受信用アンテナの受信電界強度は、映像データが受信されたときの体腔内のカプセル型内視鏡３の位置を算出するための情報となる。
【００２５】
切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００２６】
次に、アンテナカバーの構成を説明する。なお、これらアンテナカバーＢ１〜Ｂｎは、同一構成からなり、ここでは代表して、図４、図５にアンテナカバーＢ１の構成を示す。図４は、実施の形態１にかかるアンテナカバーの構成を示す構成図であり、図５は、図４のＡ−Ａ断面を示す断面図である。これら図において、アンテナカバーＢ１は、たとえば四角を面取りした略矩形の紙、不織布またはセロハンなどから形成されるカバー部材Ｂ１１，Ｂ１２を２枚重ね合せ、かつ図４に示す斜めの一点鎖線の縁部領域で接着剤Ｂ１３によって、これらカバー部材Ｂ１１，Ｂ１２は接着されている。すなわち、この接着剤Ｂ１３で接着される縁部領域は、カバー部材Ｂ１１，Ｂ１２の三辺の縁部領域である。この接着によって、カバー部材Ｂ１１，Ｂ１２の対向する面間の中央領域には、アンテナ素子を収容する収容部Ｂ１４が形成される。この収容部Ｂ１４の内形は、アンテナ素子の外形（樹脂プレートＡ１３）と略同一の形状を有している。また、図５に示すように、カバー部材Ｂ１２の外面には、後述するつまみ部Ｂ１７を除いて、たとえばアクリル系の粘着剤が塗布された粘着部Ｂ１５が形成され、アンテナカバーＢ１を被検体１の外表面に張り付けて固定可能に構成される。なお、アンテナカバーＢ１の使用前には、この粘着部Ｂ１５およびつまみ部Ｂ１７（カバー部材Ｂ１２側）上に図示しない剥離紙を被せて貼り付けが不可能な状態にしておき、使用時にこの剥離紙を剥がずことで粘着部Ｂ１５を露出させて貼り付けを可能な状態にする。
【００２７】
また、このアンテナカバーＢ１は、接着剤で接着されていない一辺の縁部領域から形成され、アンテナ素子を収容部Ｂ１４内部に挿入可能な挿入口Ｂ１６と、接着された縁部の一辺から延出する延出部としてのつまみ部Ｂ１７とを備える。この挿入口Ｂ１６の収容部Ｂ１４側には、アンテナ素子の挿入が容易になるように、図４中、二点鎖線で示す折り目Ｂ１８が形成されている。また、この挿入口Ｂ１６を構成するカバー部材Ｂ１１の内面には、たとえばアクリル系の粘着剤が塗布された粘着部Ｂ１９が形成されており、アンテナ素子を収容部Ｂ１４内部に挿入した状態で、この挿入口Ｂ１６のカバー部材Ｂ１１と対向するカバー部材Ｂ１２の内面同士を貼り合わせることで、挿入口Ｂ１６の閉塞およびアンテナ素子の固定を可能にしている。なお、折り目Ｂ１８および粘着部Ｂ１９は、カバー部材Ｂ１１，Ｂ１２の少なくとも一方に設けられれば良い。また、アンテナカバーＢ１の使用前には、この粘着部Ｂ１９上に図示しない剥離紙を被せて貼り付けが不可能な状態にしておき、使用時にこの剥離紙を剥がずことで粘着部Ｂ１５を露出させて貼り付けを可能な状態にする。
【００２８】
つまみ部Ｂ１７は、粘着された縁部の一辺、たとえばこの実施の形態では挿入口Ｂ１６と対向する一辺から延出するとともに、このつまみ部Ｂ１７を構成するカバー部材Ｂ１２の外面には、粘着剤が塗布されない非粘着部Ｂ２０が形成されている。つまり、このつまみ部Ｂ１７は、検査終了後に被検体１の外表面から取り外す際につまめるように構成されている。また、このつまみ部Ｂ１７は、カバー部材Ｂ１２の外面を覆う剥離紙を使用時に取り外す際にも、粘着剤が塗布されていないので、剥離紙の取り外しが容易になるというような利点もある。なお、この実施の形態では、つまみ部Ｂ１７を挿入口Ｂ１６と対向する一辺から延出させたが、本発明はこれに限らず、図４中、挿入口Ｂ１６と対向する一辺と、カバー部材Ｂ１１，Ｂ１２の左右側の二辺との少なくとも一辺から延出するように形成することも可能である。
【００２９】
また、アンテナカバーＢ１は、収容部Ｂ１４の略中央位置で、かつこの収容部Ｂ１４を形成するカバー部材Ｂ１１，Ｂ１２の対向する面を貫通する開口部としての円形の孔Ｂ２０，Ｂ２１が形成されている。この孔Ｂ２０，Ｂ２１の内径は、ほぼ同一で、かつアンテナ素子のループ部Ａ１１の内径よりも小さく形成されており、アンテナ素子に被せたアンテナカバーＢ１を被検体１の外表面に貼付する際に、予め外表面に付記したマーカーの位置に、この孔Ｂ２０，Ｂ２１を合わせるようにすることで、予め決定しておいた検査対象部位におけるカプセル型内視鏡３からの無線信号を受信し易い位置に、ループアンテナを配置することが可能となる。さらに、アンテナカバーＢ１の収容部Ｂ１４の内形とアンテナ素子の外形とが略同一に構成されているので、図６に示すように、たとえばアンテナ素子である受信用アンテナＡ１が収容部Ｂ１４内へ挿入されると、アンテナカバーＢ１に位置決めされることとなり、カバー部材Ｂ１１側から孔Ｂ２０，Ｂ２１を介して被検体１の外表面のマーカーを認識して、孔Ｂ２０，Ｂ２１とこのマーカーを位置合わせることで、アンテナ素子であるループアンテナを適所に配置することが可能となる。なお、孔Ｂ２０，Ｂ２１の開口位置は、中央部に限らず、たとえばアンテナ素子の認識情報の位置に合わせて、任意に設定することが可能である。
【００３０】
さらに、アンテナカバーＢ１は、挿入口Ｂ１６からアンテナ素子のケーブル部Ａ１２の延出方向と反対方向、すなわち挿入口Ｂ１６から孔Ｂ２０，Ｂ２１に向って、カバー部材Ｂ１１，Ｂ１２に断続な破断部としての切目部（ミシン目）Ｂ２２，Ｂ２３が形成されている。このミシン目Ｂ２２，Ｂ２３は、粘着部Ｂ１５に剥離紙を被せる前に設けられるもので、図７に示すように、検査終了後に、たとえば作業者がアンテナカバーＢ１の左右の両側部を矢印方向に引っ張ることで、ミシン目に沿ってカバー部材Ｂ１１，Ｂ１２が破断して、受信用アンテナＡ１の取り出しを容易にしている。また、この実施の形態では、ケーブル部Ａ１２の延出方向と同方向に破断していくので、ケーブル部Ａ１２に無理なストレスをかけることがなく、断線などの障害の発生を防ぐことができる。また、アンテナカバーＢ１は、ミシン目に沿って破断するので、アンテナ素子に対して、交換可能な紙、不織布またはセロハンなどの部材で構成することが好ましいが、破断が可能であればいかなる部材で構成することが可能である。なお、このミシン目Ｂ２２，Ｂ２３は、挿入口Ｂ１６から孔Ｂ２０，Ｂ２１を通ってつまみ部Ｂ１７に向って形成させることも可能である。
【００３１】
次に、アンテナ素子の被検体への貼着から検査終了後のアンテナ素子の取り出しまでの動作を説明する。まず、作業者は、検査前に図３に示す受信用アンテナＡ１を図４に示すアンテナカバーＢ１内に挿入する（図６参照）。そして、挿入口Ｂ１６の粘着部Ｂ１９に被せた図示しない剥離紙を剥がして、挿入口Ｂ１６のカバー部材Ｂ１１，Ｂ１２同士を貼り合わせることで、挿入口Ｂ１６の閉塞およびアンテナ素子の固定を行う。これによって、受信用アンテナＡ１がアンテナカバーＢ１内に位置決めされて、孔Ｂ２０，Ｂ２１から受信用アンテナＡ１の樹脂プレートＡ１３に設けた認識情報が認識可能となる。次に、カバー部材Ｂ１２の粘着部Ｂ１５に被せた図示しない剥離紙を剥がし、さらにカバー部材Ｂ１１側から孔Ｂ２０，Ｂ２１を介して被検体１の外表面のマーカーを認識して、孔Ｂ２０，Ｂ２１とこのマーカーとを位置合わせしながら、アンテナカバーＢ１を被検体１外表面の所定位置に貼り合わせた後に、検査を開始する。
【００３２】
次に、検査が終了すると、作業者は、つまみ部Ｂ１７を掴んで、被検体１の外表面からアンテナカバーＢ１を取り外す。そして、図７に示すように、アンテナカバーＢ１の左右の両側部を矢印方向に引っ張って、ミシン目に沿ってカバー部材Ｂ１１，Ｂ１２を破断させて、アンテナカバーＢ１の挿入口Ｂ１６側を開くことで、受信用アンテナＡ１をアンテナカバーＢ１内から容易に取り出すことが可能となる。
【００３３】
このように、この実施の形態では、受信用アンテナをアンテナカバー内に挿入して固定し、この受信用アンテナが収容されたアンテナカバーを被検体の外表面の所定位置に貼付することで、検査前後の被検体またはアンテナカバーへの受信用アンテナの取り付けや被検体またはアンテナカバーからの受信用アンテナの取り外しの作業を容易に行うことができる。この作業の手間が容易になることにより、その作業時間が低減し、これに伴って検査にかかる時間を削減することができる。
【００３４】
また、この実施の形態では、受信用アンテナに対して、交換可能な紙、不織布またはセロハンなどの部材からなるアンテナカバーを設けることで、さらに検査前後の被検体またはアンテナカバーへの受信用アンテナの取り付けや被検体またはアンテナカバーからの受信用アンテナの取り外しの作業を容易に行うことができる。
【００３５】
また、この実施の形態では、カバー部材に形成される収容部に、挿入口から受信用アンテナを挿入することによって、受信用アンテナを収容するアンテナカバーを設け、かつカバー部材の所定面に、前記カバー部材を被検体に貼付する粘着部を設けることで、さらに検査前後の被検体またはアンテナカバーへの受信用アンテナの取り付けや被検体またはアンテナカバーからの受信用アンテナの取り外しの作業を容易に行うことができる。
【００３６】
また、この実施の形態では、カバー部材の縁部に延出し、かつ所定面が非粘着部で構成されるつまみ部を設けることで、さらに検査前後の被検体またはアンテナカバーへの受信用アンテナの取り付けや被検体またはアンテナカバーからの受信用アンテナの取り外しの作業を容易に行うことができるとともに、前記粘着部および被粘着部に被さる剥離紙の取り外しが容易になる。
【００３７】
また、この実施の形態では、収容部を形成するカバー部材の対向する面に孔を設けることで、アンテナカバーを介して被検体の外表面を認識可能にし、さらに被検体の外表面への受信用アンテナの取り外しの作業を容易に行うことができる。
【００３８】
また、この実施の形態では、カバー部材に外力によって破断可能な断続的なミシン目を形成することで、アンテナカバーから受信用アンテナを取り外す際に、外力を加えてカバー部材をミシン目に沿って破断することによる。また、この実施の形態では、ケーブルの延出方向の垂直方向から外力を加えて受信用アンテナの取り外しを行うので、取り外し動作によるケーブルへのストレスを軽減し、断線などの障害発生を防ぐことができる。
【００３９】
（実施の形態２）
図８は、図２に示した受信用アンテナの構成の他例を示す構成図であり、図９は、実施の形態２にかかるアンテナカバーの構成を示す構成図である。なお、以下の図において、図３および図４に示した受信用アンテナとアンテナカバーの構成部分と同様の構成部分に関しては、説明の都合上、同一符号を付記するものとする。
【００４０】
ところで、上述した実施の形態１では、樹脂プレートＡ１３が略矩形の受信用アンテナＡ１と、この受信用アンテナＡ１を収容する略矩形のアンテナカバーＢ１について説明したが、本発明はこれに限らず、たとえば図８、図９に示すような変形例によって形成することも可能である。すなわち、この実施の形態では、アンテナ装置を、図８に示すように、略円形の樹脂プレートＡ１３を備える受信用アンテナＡ１と、図９に示すように、カバー部材Ｂ１１，Ｂ１２のつまみ部Ｂ１７側の一辺を半円形に形成した半円半矩形のアンテナカバーＢ１とから構成する。また、収容部Ｂ１４も、アンテナカバーＢ１の外形に合わせて半円半矩形に構成する。
【００４１】
この実施の形態の場合も、実施の形態１と同様の効果を奏するとともに、つまみ部を持って被検体の外表面からアンテナカバーを取り外す時に、つまみ部側の一辺が半円形に構成されているので、実施の形態１の矩形の場合に較べて粘着面積が小さく、これによって取り外し時の粘着抵抗が少なくなり、さらにアンテナカバーの取り外しが容易になるという利点がある。
【００４２】
（実施の形態３）
図１０は、実施の形態３にかかるアンテナカバーの構成の一例を示す構成図である。この実施の形態では、カバー部材Ｂ１１，Ｂ１２に第２の透明部材として、たとえばセロハンなどを用いる場合を想定している。すなわち、図１０において、カバー部材Ｂ１１，Ｂ１２は、透明のセロハンで構成されているので、収容部Ｂ１４の中央位置に設けた孔Ｂ２０，Ｂ２１が不要となり、かつ挿入口Ｂ１６からつまみ部Ｂ１７に向って、カバー部材Ｂ１１，Ｂ１２にミシン目Ｂ２２，Ｂ２３が形成されている。
【００４３】
この実施の形態の場合も、実施の形態１と同様の効果を奏するとともに、カバー部材に孔が不要となるので、製造工程が削減され、製造時間が短縮されるとともに、製造コストを低減することも可能となる。
【００４４】
図１１は、実施の形態３にかかるアンテナカバーの構成の他例を示す構成図である。この実施の形態では、カバー部材Ｂ１１，Ｂ１２にそれぞれ形成されるミシン目を１本ではなく、複数本たとえば所定間隔距離をとった２本ずつのミシン目Ｂ２２〜Ｂ２５で構成する場合を示す。この場合には、受信用アンテナの取り外し時に、たとえばミシン目Ｂ２２，Ｂ２４間の帯状部材Ｂ２６を作業者が挿入口Ｂ１６側でつまんで、図中、矢印方向に引っ張ることで、帯状部材Ｂ２６がミシン目Ｂ２２，Ｂ２４に沿って帯状に破断されて、受信用アンテナの取り外しが可能となる。
【００４５】
この実施の形態の場合も、実施の形態３の上記一例と同様の効果を奏するとともに、広範囲でカバー部材が破断されるので、さらに受信用アンテナの取り外しが容易となる。
【００４６】
なお、本発明にかかるアンテナカバーは、上記実施の形態に限らず、種々の変形実施の形態が可能であり、たとえばカバー部材Ｂ１１を２枚で構成させ、図１０に示したミシン目の代わりに、このミシン目の中央ラインで互いの１辺が重なり合う観音開きの構造に形成する。そして、受信用アンテナを取り外す場合には、作業者がこの重なり合った１辺を摘んで、図中、左右方向に引っ張ることで、カバー部材Ｂ１１を左右に開くことができる。この場合には、カバー部材のみを摘んで左右に開くので、取り外し動作によるケーブルへのストレスをさらに軽減し、断線などの障害発生を防ぐことができる。
【００４７】
また、本発明では、カバー部材Ｂ１１，Ｂ１２に、たとえば熱を加えると強度が弱くなる部材を用い、上記ミシン目の代わりに、このミシン目の中央ラインの領域に熱を加えて変性させる変性部（破断部）を設けることで、加わる外力によるカバー部材の破断を容易にすることも可能である。
【００４８】
また、本発明では、たとえばカバー部材Ｂ１１，Ｂ１２のミシン目の代わりに、このミシン目の中央ラインの領域のカバー部材の厚みを薄く形成する薄肉部（破断部）を設けることによって、加わる外力によるカバー部材の破断を容易にすることも可能である。
【００４９】
さらに、本発明では、たとえば帯状部材Ｂ２６の代わりに、カバー部材Ｂ１１，Ｂ１２と異なる部材で帯状部材を形成するとともに、カバー部材Ｂ１１を２枚で構成させ、上記ミシン目の代わりに、このミシン目の中央ラインで互いの１辺とこの帯状部材を重ね合わせて互いを貼着するように構成することも可能である。そして、受信用アンテナを取り外す場合には、作業者がこの重なり合った帯状部材を摘んで剥がすことによって、カバー部材の破断を容易にすることも可能である。
【図面の簡単な説明】
【００５０】
【図１】実施の形態１にかかる受信装置を備えた無線型被検体内情報取得システムの全体構成を示す模式図である。
【図２】図１に示した受信装置の構成を示すブロック図である。
【図３】図２に示した受信用アンテナの構成の一例を示す構成図である。
【図４】実施の形態１にかかるアンテナカバーの構成を示す構成図である。
【図５】図４のＡ−Ａ断面を示す断面図である。
【図６】図４のアンテナカバーに図３の受信用アンテナを挿入した状態を示す図である。
【図７】図６の状態から受信用アンテナを取り出す状態を説明するための図である。
【図８】図２に示した受信用アンテナの構成の他例を示す構成図である。
【図９】実施の形態２にかかるアンテナカバーの構成を示す構成図である。
【図１０】実施の形態３にかかるアンテナカバーの構成の一例を示す構成図である。
【図１１】実施の形態３にかかるアンテナカバーの構成の他例を示す構成図である。
【符号の説明】
【００５１】
１  被検体
２  受信装置
２ａ  アンテナ群
２ｂ  外部装置
３  カプセル型内視鏡
４  表示装置
５  携帯型記録媒体
１１  受信回路
１２  信号処理回路
１３  記憶部
１４  表示部
１５  サンプルホールド回路
１６  Ａ／Ｄ変換部
１７  電力供給部
Ａ１〜Ａｎ  受信用アンテナ
Ａ１１  ループ部
Ａ１２  ケーブル部
Ａ１３  樹脂プレート
Ｂ１〜Ｂｎ  アンテナカバー
Ｂ１１，Ｂ１２  カバー部材
Ｂ１３  接着剤
Ｂ１４  収容部
Ｂ１５，Ｂ１９  粘着部
Ｂ１６  挿入口
Ｂ１７  つまみ部
Ｂ１８  折り目
Ｂ２０  非粘着部
Ｂ２０，Ｂ２１  孔
Ｂ２２〜Ｂ２５  ミシン目
Ｂ２６  帯状部材
Ｃ  制御部
Ｃ１  選択制御部
ＣＯＮ  接続部
ＣＯＮ１〜ＣＯＮｎ  コネクタ
ＳＣ  切替制御部
ＳＷ  切替スイッチ
【図１】
2006000296.tif 000003
【図２】
2006000296.tif 000004
【図３】
2006000296.tif 000005
【図４】
2006000296.tif 000006
【図５】
2006000296.tif 000007
【図６】
2006000296.tif 000008
【図７】
2006000296.tif 000009
【図８】
2006000296.tif 000010
【図９】
2006000296.tif 000011
【図１０】
2006000296.tif 000012
【図１１】
2006000296.tif 000013